【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
第１の撮像手段と第２の撮像手段とを有する撮像装置であって、
前記第２の撮像手段に設けられ、光量を検出する光量検出手段と、
外光量検出手段で検出された光量に関する情報に基づき、前記第１の撮像手段による撮影モードの初期段階における光量の絞り量を決定する初期光量決定手段とを備え、
前記初期光量決定手段で決定した光量絞り量で前記第１の撮像手段を設定することで、撮影可能状態に移行することを特徴とする撮像装置。
【請求項２】
撮像素子の欠陥画素の検出を行い、欠陥画素が検出された場合には、該欠陥画素の出力を該欠陥画素の周辺画素から出力される信号で補う画素欠陥補正手段を有し、
前記画素欠陥補正手段により画素欠陥を検出し補正している間に、前記初期光量決定手段は前記絞り量を決定することを特徴とする請求項１に記載の撮像装置。
【請求項３】
前記第１の撮像手段と、前記第２の撮像手段は、撮像可能な画素数が異なることを特徴とする請求項１または２に記載の撮像装置。
【請求項４】
前記第１の撮像手段が前記第２の撮像手段よりも撮影可能な画素数が大きい場合、前記第２の撮像手段によって得られた情報を用いて、前記第１の撮像手段を制御することを特徴とする請求項１乃至３のいずれか１項に記載の撮像装置。
【請求項５】
前記第２の撮像手段は、前記第１の撮像手段の撮像方向に対して異なる方向となるよう配置されていることを特徴とする請求項１に記載の撮像装置。
【請求項６】
前記第２の撮像手段は、撮像装置が有する表示パネルに設けられることを特徴とする請求項５に記載の撮像装置。
【請求項７】
前記第２の撮像手段での撮像画像は、前記第１の撮像手段での撮像画像中の子画面中に合成されることを特徴とする請求項１乃至６のいずれか１つに記載の撮像装置。
【請求項８】
前記第２の撮像手段が有する光量検出手段が機能しない場合、前記第１の撮像手段は自身が有する撮像素子による光量に基づき自動露出の初期絞り量を決定することを特徴とする請求項１乃至６のいずれか１つに記載の撮像装置。
【請求項９】
第１の撮像手段と第２の撮像手段とを有する撮像装置の制御方法であって、
前記第２の撮像手段に設けられた光量検出手段を用いて、前記第２の撮像手段による入射する光量を検出する検出工程と、
該検出工程で検出された光量に関する情報に基づき、前記第１の撮像手段による撮影モードの初期段階における光量の絞り量を決定する初期光量決定工程とを備え、
当該初期光量決定工程で決定した光量絞り量で前記第１の撮像手段を設定することで、撮影可能状態に移行することを特徴とする撮像装置の制御方法。
【請求項１０】
撮像手段、当該撮像手段で得られた画像信号をビデオ信号として表示する表示パネル、並びに、前記ビデオ信号を所定の記憶媒体に記録する記録手段を備える撮像装置であって、
前記撮像手段とは独立して設けられた光量検出手段と、
前記光量検出手段に設けられ、光量を検出する光量検出手段と、
該光量検出手段で検出された光量に関する情報に基づき、前記撮像手段による撮影モードの初期段階における光量の絞り量を決定する初期光量決定手段とを備え、
当該初期光量決定手段で決定した光量絞り量で前記撮像手段を設定することで、撮影可能状態に移行することを特徴とする撮像装置。
【請求項１１】
撮像手段、当該撮像手段で得られた画像信号をビデオ信号として表示する表示パネル、並びに、前記ビデオ信号を所定の記憶媒体に記録する記録手段を備える撮像装置の制御方法であって、
前記撮像手段とは独立して設けられた光量検出手段により、装置が存在する環境の明るさを検出する検出工程と、
該検出工程で検出された明るさに関する情報に基づき、前記撮像手段による撮影モードの初期段階における光量の絞り量を決定する初期光量決定工程とを備え、
当該初期光量決定工程で決定した光量絞り量で前記撮像手段を設定することで、撮影可能状態に移行することを特徴とする撮像装置の制御方法。
【手続補正２】
【補正対象書類名】明細書
【補正対象項目名】００１０
【補正方法】変更
【補正の内容】
【００１０】
かかる課題を解決するため、本発明における撮像装置は以下の構成を備えるものである。すなわち、
第１の撮像手段と第２の撮像手段とを有する撮像装置であって、
前記第２の撮像手段に設けられ、光量を検出する光量検出手段と、
外光量検出手段で検出された光量に関する情報に基づき、前記第１の撮像手段による撮影モードの初期段階における光量の絞り量を決定する初期光量決定手段とを備え、
前記初期光量決定手段で決定した光量絞り量で前記第１の撮像手段を設定することで、撮影可能状態に移行することを特徴とする撮像装置。
【手続補正３】
【補正対象書類名】明細書
【補正対象項目名】００１４
【補正方法】変更
【補正の内容】
【００１４】
図示において、１０１は通常のビデオカメラとして機能するためのメインカメラ１０１であり、１０６は内部に表示素子を収納したビューワである。１０５は録画の開始及び終了を指示する録画ボタンであって、この録画ボタンを押下中は不図示の記録媒体（実施形態では、ビデオテープカセットとしているが、光ディスク、半導体記憶媒体でも構わない）に録画する。操作者は、通常ビューワ１０６を覗きながら、メインカメラ１０１で撮像中の画像を確認しながら、録画ボタン１０５を押下（ＯＮ）し、その押下状態期間中に撮像した画像を記録媒体に記録することになる。１０９は回動式のスイッチであって、図示矢印Ｃに沿って突起部の角度位置を変えることで電源オフ、電源ＯＮでの撮影モード、電源ＯＮでの再生モードの何れかが選択されるようになっている。
【手続補正４】
【補正対象書類名】明細書
【補正対象項目名】００１５
【補正方法】変更
【補正の内容】
【００１５】
１０２は表示パネルであって、撮影モードであれば撮像中の画像を表示し、再生モード（記録媒体に記録された画像を再生するモード）であれば既に撮像した画像を表示するためのものである。従って、撮影モードの場合、撮像画像を確認する手段としては、ビューワ１０６のみに限らず、表示パネル１０２でも可能となっている。なお、表示パネル１０２を使用しない場合には、図示矢印Ｂにそって、表示パネル１０２の軸受を中心に回動することで、本体内にもうけられたパネル収納部（凹部）に表示パネル１０２を収納することも可能になっている。また、表示パネル１０２を露出させた状態では、図示矢印Ａに表示パネルを回転させることで、撮影者に都合の良い角度で撮像映像を確認することも可能となっている。
【手続補正５】
【補正対象書類名】明細書
【補正対象項目名】００１６
【補正方法】変更
【補正の内容】
【００１６】
１０３は、表示パネル１０２上に設けられたサブカメラであって、このサブカメラ１０３の機能を有効にすると、図示のようにメインカメラ１０１で撮像された映像中に、サブカメラ１０３で撮像した象をピクチャーインピクチャー形式で表示することは勿論、その状態で記録媒体に記録することができる。
【手続補正６】
【補正対象書類名】明細書
【補正対象項目名】００２６
【補正方法】変更
【補正の内容】
【００２６】
システムコントローラ６はＣＰＵ、その処理手順（プログラム）を記憶しているＲＯＭ、及びワークエリアとして利用するＲＡＭで構成されるものであり、装置全体の制御を司り、各種スイッチの状態は勿論、電源スイッチ１７（図９におけるスイッチ１０９に相当）の状態も監視する。撮影モードの場合には、表示装置１３へ映像信号を出力し、撮像画像を表示することになる。また、記録部１６はシステムコントローラ６から記録動作を行う指示信号が入力された場合にのみ撮像画像を不図示の記録媒体に記録する処理を行うことになる。システムコントローラ６は、これ以外にもメインカメラレンズユニット１、第１の絞りユニット２、メインカメラＣＣＤ４、サブカメラレンズユニット８、第２の絞りユニット９、サブカメラＣＣＤ１０、合成部５、ビデオ信号処理回路７を制御することになる。また、サブカメラ１０３における光量検出回路１５からの信号に基づき各種処理も行う（詳細は後述）。
【手続補正７】
【補正対象書類名】明細書
【補正対象項目名】００３０
【補正方法】変更
【補正の内容】
【００３０】
従って、これら２つのカメラを用いて撮影する場合に着目したとき、電源投入時から撮影可能になるまで（撮像した映像が表示装置１３に表示されるまで）の時間は、メインカメラ１０１における撮像可能となるまでの時間に等しくなる。換言すれば、ユーザーが電源投入の操作を行ってから撮影可能となるまでの時間を短縮させるためには、メインカメラ１０１の初期化、白キズ検出＆補正処理、ＡＥ引き込み処理のトータルな時間を短縮させればよいことになる。
【手続補正８】
【補正対象書類名】明細書
【補正対象項目名】００３３
【補正方法】変更
【補正の内容】
【００３３】
通常、ビデオカメラに電源を投入したとき、そのビデオカメラが置かれている場所が暗い場所にあるのか、明るい場所にあるのか全く不明であるので、絞りユニットの絞りを全開状態にし、ＣＣＤのゲインを検出する。そして、それが飽和状態であれば、更に絞りユニットを制御することを繰り返し、最適なゲイン（光量）となる絞り量を検出する。この処理を「ＡＥ引き込み」という。従って、この最適な光量を検出するまでの期間は、精度の良い像の検出ができないので録画は不可とする。また、通常、表示装置１３（ビューワや表示パネル）に撮像画像の表示を開始することで、撮像や録画が可能となったことをユーザに知らしめる。従って、このＡＥ引き込み処理中は表示装置１３には何も表示しない。そして、ＡＥ引き込み処理が完了すると、その完了時での絞り量を通常のＡＥ処理の初期値として第１の絞りユニット２を制御するとともに表示装置１３への表示を開始し、これ以降はＡＥ引き込み処理とは異なる公知の通常のＡＥ処理、すなわち、第１の絞りユニット２をリアルタイムで制御（フィードバック制御）していく。